(57)【特許請求の範囲】
【請求項１】
ドライバーユニットを内蔵し使用者の外耳道に装着されるハウジングと、
使用者の耳介の付け根に装着されるイヤハンガーと、
上記ハウジングと上記イヤハンガーとを連結する連結部材と、を有するイヤホンであって、
上記連結部材は、使用態様において上方向に伸び出るように上記ハウジングに連結され、
上記連結部材と上記イヤハンガーは、使用態様において上記連結部材に対し上記イヤハンガーが使用者頭部の前後方向に回転可能に軸連結部に連結され、
上記軸連結部はまた、使用態様において使用者の耳介の付け根より上方に位置するように上記連結部材の長さが設定され、
上記ハウジングと上記連結部材の連結部に隙間が設けられていることにより、上記ハウジングは、その中心軸線が傾くことができるように上記連結部材に連結され、上記連結部材と上記ハウジングは、使用態様において、互いに使用者の前額面方向に揺動できるように連結され、
上記ハウジングの後面部は円筒状になっていて、上記ハウジングの後面部の側面には排気孔が設けられ、
上記排気孔は、ハウジングの上記円筒状の部分に嵌め込まれた円筒状の弾性部を通して設けられていることを特徴とするイヤホン。
【請求項２】
ハウジングと連結部材は、緩衝部材を介して連結されている請求項１記載のイヤホン。
【発明の詳細な説明】
【技術分野】
【０００１】
本発明は、耳掛けタイプのイヤホンに関し、より詳しくは、使用者の耳介に装着するためのイヤハンガーを備えかつイヤハンガーが動くようにした耳掛けタイプのイヤホンに関するものである。
【背景技術】
【０００２】
使用者がイヤホンを装着する場合において、使用者のイヤホンの装着感は、使用者の耳介の形状や大きさに個人差があるため、人により異なるものである。例えば、耳介の小さい人がイヤホンを装着する場合には、外耳道側に挿入したイヤホンのハウジングに耳介側が圧迫されて痛みが生じたり圧迫痕ができたりすることがある。また、耳介の大きい人がイヤホンを装着する場合には、外耳道側に挿入したイヤホンのハウジングに対する耳介側の保持力が弱くなって、ちょっとした衝撃でも脱落してしまうことがある。
【０００３】
一方、従来からある耳掛けタイプのイヤホンは、イヤハンガーをイヤホンのハウジングに一体的に取り付け、イヤハンガーの弾性を利用してハウジングを耳介方向へと押圧付勢して装着するものが一般的である。耳掛けタイプのイヤホンは、イヤハンガーによってイヤホンを使用者の耳介から脱落することを防止できるように設計されている。しかしながら、上述のように耳介の大きさには個人差があるので、圧接力の違いなどが生じるため、ある人には痛みを伴ったり、別の人には脱落しやすくなったりするなどの問題がある。
【０００４】
そこで、特許文献１に記載の発明では、図６、図７で示すように、イヤハンガー２２と、イヤハンガー２２の基端側とハウジング２４との間に介在させた連結支杆２３とで構成され、ハウジング２４に連結支杆２３の一端部を回動自在に連結するとともに、イヤハンガー２２の基端側に連結支杆２３の他端部を回動自在に連結してある耳掛け式のイヤホン３０が開示されている。このように構成することにより、イヤホン３０は、イヤハンガー２２の位置を自在に変えた上で、イヤハンガー２２を耳介１０１の付け根側に安定的に支持させることができると、特許文献１では記載されている。
【０００５】
しかしながら、イヤホン３０は、上述のようにイヤハンガー２２と連結支杆２３、連結支杆２３とハウジング２４がそれぞれ回転自在に連結されているため、実際の使用態様においてそれぞれの部材を位置決めすることが難しい構成である。したがって、例えば図６で示すように、使用者の装着時にイヤハンガー２２が、使用者の耳介１０１の付け根Ｂにぶつかってしまうことなどがある。
【０００６】
また、上述のように使用者の耳介１０１の大きさには個人差があるため、図７のように、使用者の耳介１０１の外耳道から耳介１０１の付け根の長さＡより、イヤホン３０のハンガー２２の使用態様における使用者の頭頂部側からハウジング２４の中心軸線までの長さが短い場合、イヤホン３０の耳介１０１に対する圧力が強くなり、使用者がイヤホン３０を長時間装着すると使用者の耳介に不快感や痛みを発生させることがある。
【先行技術文献】
【特許文献】
【０００７】
【特許文献１】特開２００６−５５８３号公報
【発明の概要】
【発明が解決しようとする課題】
【０００８】
本発明は、使用者の耳介に装着しやすい状態にそれぞれの部材を簡単に位置決めできるようにし、長時間装着しても使用者の耳介に痛みや不快感を生じさせず、使用者の耳介の大きさの違いに合わせて装着することができる耳掛けタイプのイヤホンの提供を目的する。
【課題を解決するための手段】
【０００９】
本発明は、ドライバーユニットを内蔵し使用者の外耳道に装着されるハウジングと、使用者の耳介の付け根に装着されるイヤハンガーと、上記ハウジングと上記イヤハンガーとを連結する連結部材と、を有するイヤホンであって、上記連結部材は、使用態様において上方向に伸び出るように上記ハウジングに連結され、上記連結部材と上記イヤハンガーは、使用態様において上記連結部材に対し上記イヤハンガーが使用者頭部の前後方向に回転可能に軸連結部に連結され、上記軸連結部はまた、使用態様において使用者の耳介の付け根より上方に位置するように上記連結部材の長さが設定され、上記ハウジングと上記連結部材の連結部に隙間が設けられていることにより、上記ハウジングは、その中心軸線が傾くことができるように上記連結部材に連結され、上記連結部材と上記ハウジングは、使用態様において、互いに使用者の前額面方向に揺動できるように連結され、上記ハウジングの後面部は円筒状になっていて、上記ハウジングの後面部の側面には排気孔が設けられ、上記排気孔は、ハウジングの上記円筒状の部分に嵌め込まれた円筒状の弾性部を通して設けられていることを最も主要な特徴とする。
【発明の効果】
【００１０】
本発明にかかるイヤホンよれば、連結部材は、使用態様において上方向に伸び出るようにハウジングに連結され、連結部材とイヤハンガーは、使用態様において連結部材に対しイヤハンガーが使用者頭部の前後方向に回転可能に軸連結部に連結され、軸連結部はまた、使用態様において使用者の耳介の付け根より上方に位置するように連結部材の長さが設定されていることにより、使用者の耳介に装着しやすく、長時間装着しても使用者の耳介に痛みや不快感を生じさせず、使用者の耳介の大きさの違いに適合させて装着させることができる耳掛けタイプのイヤホンを提供することができる。
【図面の簡単な説明】
【００１１】
【図１】本発明にかかるイヤホンの実施例を示す正面図である。
【図２】上記イヤホンの使用態様に至る途中の様子を示す模式図である。
【図３】上記イヤホンの使用態様を示す正面図である。
【図４】上記イヤホンの断面図である。
【図５】上記イヤホンの拡大側面図である。
【図６】従来のイヤホンの使用態様に至る途中の様子を示す模式図である。
【図７】従来のイヤホンの使用態様を示す模式図である。
【発明を実施するための形態】
【００１２】
以下、本発明に係るイヤホンの実施例について図面を参照しながら説明する。なお、本発明にかかるイヤホン１は、実施例の構成に限定されるものではない。また、図示しないが、実際の使用態様では、イヤホン１は左右一対に使用され、コード８を通じて適宜の音響出力端子との接続が可能になっている。
【００１３】
図１乃至図４において、耳掛けタイプのイヤホン１は、ドライバーユニット１０を内蔵し使用者の耳介１０１に装着される椀状のハウジング３と、使用者の耳介１０１の付け根に装着される円弧状に湾曲している棒状のイヤハンガー２と、ハウジング３とイヤハンガー２とを連結させる連結部材６から主に構成されている。イヤハンガー２は、使用者の耳介１０１の付け根の形状と使用態様において適合するように、上述のように円弧状に湾曲している。イヤハンガー２の一端は、横断面が丸みを帯びるように形成されて、イヤハンガー２の先端部分となっている。イヤハンガー２の他端は、連結部材６と連結されるため、先端部分よりも平坦な形状になっていて、図４における軸連結部７の軸部７Ａが挿入されるための孔２Ａが形成されている。なお、イヤハンガー２は、使用者の耳介１０１を保護するために弾性のある樹脂からなるが、その他の素材を用いてもよい。
【００１４】
連結部材６は、軽量化のため、例えば軽金属であるアルミニウムからなる。連結部材６には、さらなる軽量化のため使用態様における使用者頭部前後方向の平面中央部分が図示のようにくりぬかれて、孔６Ｄが形成されている。連結部材６の全体の形状は、使用態様における使用者頭部の前方に僅少に湾曲した略直方体状に形成されている。なお、連結部材６は、孔６Ｄを形成しない設計にすることもでき、連結部材６の材質は、適宜のものを選択することができる。孔６Ｄを設けることでデザイン的にもより軽量感を醸し出すことができる。連結部材６の一端は、上述のイヤハンガー２の他端と連結され、図４における軸連結部７の軸挿入部７Ｅが挿入されるための孔６Ａが形成されている。なお、連結部材６の長手方向の両端の平面形状は、丸みを帯びるように形成されている。連結部材６の長手方向の長さは、いわゆるヒトの耳介の付け根から、外耳道までの長さより長く設計されていて、例えば、小児用や成人用、成人用のラージサイズとして別々に設計することによって、使用者それぞれの耳介１０１の大きさや形状に合わせることが可能になる。連結部材６の長手方向の長さは、例えば、軸連結部７の中心軸線と、固定部５の中心軸線の長さが略３５ｍｍになるように設定するとよい。
【００１５】
図４において、軸連結部７は、軸形成部７−１と、軸固定部７−２の２つの部材によって構成されている。軸形成部７−１は円盤状の頭部７Ｃと棒状の軸部７Ａを有している。軸固定部７−２は、円盤状の頭部７Ｄと、軸部７Ａを受け入れるための軸孔７Ｂを有する有底円筒状の軸挿入部７Ｅで構成されている。図４のようにイヤハンガー２と連結部材６は、軸形成部７−１の軸部７Ａがイヤハンガー２側から、孔２Ａと、孔６Ａを貫通して軸固定部７−２の軸挿入部７Ｅの軸孔７Ｂに挿入されることにより、連結されている。イヤハンガー２は、軸部７Ａを中心にして連結部材６に対して回転自在になっている。このようにすることにより、イヤハンガー２は、使用態様において使用者頭部の前後方向に回転可能に軸連結部７によって連結部材６に連結される。そして、使用者は、イヤホン１の装着する際にイヤハンガー２を軸連結部７を中心に回転させることのみで、容易にイヤホン１を装着することができる。
【００１６】
図４、図５において、椀状のハウジング３の前面は、ドライバーユニット１０の放音面となっている。その逆側のハウジング３の後面部は円筒状になっていて、円筒状の弾性部１１が円筒状のハウジング３の後面部の外周に嵌めこまれて連結されている。コードブッシュ４は、弾性部１１の周面から伸び出るように先細りの筒状に形成されている。弾性部１１とコードブッシュ４は、一体に形成され、ハウジング３と、コードブッシュ４は、その内部空間が連通している。なお、弾性部１１とコードブッシュ４の構成は別体となっていてもよいが、それぞれを一体に形成すると工数が少なくなり、製造コストの削減につながるため好ましい。ハウジング３の円筒状の後面部の側面には、孔３Ｂが設けられている。コード８は、この孔３Ｂからコードブッシュ４の内部を通して引き出されている。なお、ドライバーユニット１０は、一般的な適宜の形式のもの、例えばダイナミック型ドライバーユニットを適用することができる。弾性部１１の素材としては、高分子からなる樹脂などを用いることができる。
【００１７】
固定部５は、円盤状の頭部５Ｃと、これに続く円筒部５Ｂとを有していている。固定部５は、図示のように雄ねじである連結手段１３が、弾性部１１の内部空間と、ハウジング３に設けられた孔３Ａを介して固定部５に設けられたねじ孔５Ａにねじ込まれることで、ハウジング３に固定されている。なお、固定部５と、弾性部１１の固定には、上述以外の適宜の手段を用いることができる。また、連結部材６の他端は、孔６Ｂを有している。この孔６Ｂが固定部５の円筒部５Ｂに挿通されている。このことによって、連結部材６は、固定部５によりハウジング３に固定される。また、連結部材６は、使用態様において使用者の頭部の上方向に伸び出て、連結部材６に連結する軸連結部７が、使用態様において使用者の耳介１０１の付け根より上方になるように位置決めされて固定されている。なお、連結部材６とハウジング３の固定方法は上述のものに限らず適宜の設計思想で構成することができ、例えば、弾性部１１に当たる部分を、ハウジング３と同じ例えばポリプロピレンなどの高分子の素材を用いてハウジング３と一体に成形し、連結部材６とハウジング３とを上述の固定部５を用いて固定することも可能である。
【００１８】
このようにすることにより、連結部材６とイヤハンガー２は、使用態様において連結部材６に対しイヤハンガー２が使用者頭部の前後方向に回転可能に軸連結部７によって連結され、軸連結部７は、使用態様において使用者の耳介１０１より上方に位置することにより、使用者の耳介１０１に装着しやすい状態にそれぞれの部材を簡単に位置決めできる。そのため装着しやすく、長時間装着しても使用者の耳介１０１に痛みや不快感を生じさせず、使用者の耳介１０１の大きさの違いに適合させて装着させることができる耳掛けタイプのイヤホン１を提供することができる。
【００１９】
また、このようにすることによって、イヤホン１を装着する際には、図２のように、イヤハンガー２を使用者の頭部上方に位置するように回転させてハウジング３を図示しない外耳道に装着し、その後図３のようにイヤハンガー３を使用者の耳介１０１の付け根の方に回すだけですむので、上述の図６、図７の従来例と比較すると分かるように、使用者は、非常に簡単にイヤホン１を装着することができる。
【００２０】
図４、図５において、固定部５を介して連結部材６とハウジング３を連結する部分（以下、連結部材６とハウジング３の連結部とする）の詳細を説明する。固定部５と連結部材６の孔６Ｂの間には、緩衝部材９が介在している。緩衝部材９は、円筒状であり、周面の軸線方向中央部分にリング状の凹部９Ａを有している。この凹部９Ａは、連結部材６の孔６Ｂを形成する外周部分が嵌るように形成されている。また、図５で示すように、凹部９Ａは、２つの側面９Ｂと底面９Ｃから形成されている。２つの側面９Ｂは、それぞれが逆方向に底面９Ｃの垂直方向から角度を有するように勾配が設けられている。また、連結部材６の孔６Ｂを形成する外周部分の両端には、緩衝部材９の逃げのための２つの切削部６Ｃが設けられている。２つの切削部６Ｃはそれぞれが逆方向に孔６Ｂの周面６Ｅの垂直方向から角度を有するようにカットされている。なお、緩衝部材９の素材としては、弾性を有する素材であれば適宜のものを選択することができ、例えば有機物質で合成された樹脂やゴムなどを用いることができる。
【００２１】
このようにすることにより、連結部材６とハウジング３との連結部における互いの対向面には、使用者の前額面方向に微細な隙間ができる。そして、ハウジング３と連結部材６は、使用態様において使用者の前額面方向に互いに揺動できるように連結される。イヤホン１の実用性や耐久性を考慮した場合には、ハウジング３と連結部材６は、角度でいうと例えば３度から４度互いに揺動可能にする。連結部材６の揺動は、使用者の頭部の矢状面方向には固定される。また、ハウジング３も同様に、その中心軸線Ｄが傾くことができるように、連結部材６に連結される。すなわち、ハウジング３は、その中心軸線Ｄの垂直方向全方向に傾くように揺動することができるようになる。イヤホン１の実用性や耐久性を考慮した場合と、ハウジング３は、角度でいうと例えば３度から４度その中心軸線Ｄから傾くようにする。また、固定部５と、連結部材６との連結部分の間に設けられた緩衝部材９を大きくし、固定部５と連結部材６との接合面に隙間を設けることによっても上述のハウジング３と連結部材６の動きは可能となる。なお、ハウジング３と連結部材６とが連結される部分（連結部）の接合面に、使用態様において使用者の前額面方向に隙間が設けられていると、上述の揺動は可能となる。それゆえ、例えば上述の２つの側面９Ｂの勾配をどちらか一方に形成し、あるいは２つの切削部６Ｃをどちらか１つだけ形成しても、上述のハウジング３と連結部材６の動きを実現することも可能である。
【００２２】
このようにすることにより、イヤホン１は、使用者の耳介１０１を長時間固定的に圧迫することがなく、イヤホン１が使用者の動きにも適応することができるため、使用者が長時間イヤホン１を装着しても痛みや不快感を生じさせることを防ぐことができ、使用者は心地よくイヤホン１を使用することができる。また、イヤハンガー２と連結部材６との連結においても、使用者の前額面方向に揺動するように設計することも可能であり、これによっても、使用者が長時間イヤホン１を装着しても痛みや不快感を生じさせることを防ぐことが可能である。
【００２３】
図５において、ハウジング３の後部の弾性部１１には、図４におけるドライバーユニット１０の音響特性のために、ドライバーユニット１０の背圧を抜くための排気孔１２を設けることができる。また、この排気孔１２を形成するために、ハウジング３の側面には、孔３Ｃが設けられていている。そして排気孔１２を有する弾性部の凹部１１Ａが孔３Ｃに嵌り込んでいる。この位置に排気孔１２を設けることによってイヤホン１の美観を損ねることを防ぐことができる。また、連結部材６の孔６Ｄと同様に、排気孔１２を設ける事で、デザイン的にもより軽量感を醸し出すことができる。さらに排気孔１２の大きさを調節したり、排気孔１２に図示しない導電布などからなる音響抵抗材を貼りつけたりすることによって、ドライバーユニット１０の音響特性の調節をすることが可能である。排気孔１２の形状は、円形でもよく、適宜の形状を選択することができる。また、排気孔１２の数は図示のように１つではなく複数形成することもできる。
【産業上の利用可能性】
【００２４】
以上、本発明の一実施例について説明したが、本発明はこの実施例の構成に限られるものではなく、特許請求の範囲に記載した技術思想を逸脱しない範囲で設計変更することができる。例えば、本発明にかかるイヤホンの構成を外耳道に放音する部分を挿入するいわゆるカナル型イヤホンにしてもよく、イヤホンタイプの補聴器に本発明の構成を適用することも可能である。
【符号の説明】
【００２５】
１  イヤホン
２  イヤハンガー
３  ハウジング
４  コードブッシュ
５  固定部
６  連結部材
７  軸連結部
８  コード
９  緩衝部材
【図１】
0005610963.tif 000002
【図２】
0005610963.tif 000003
【図３】
0005610963.tif 000004
【図４】
0005610963.tif 000005
【図５】
0005610963.tif 000006
【図６】
0005610963.tif 000007
【図７】
0005610963.tif 000008